(57)【特許請求の範囲】
【請求項１】
壁に設けられた貫通孔を通る流体管を前記壁に固定すべく、前記貫通孔に取り付けられる流体管固定具であって、
内部を前記流体管が通る通管筒体と、
前記通管筒体と前記流体管との間を止水する止水部材と、
前記通管筒体内を通って前記壁の裏側から表側へと引き出された前記流体管の外周面を圧接するようにして前記流体管に取り付け固定される、前記止水部材とは別体の圧接具と、
前記圧接具が前記流体管とともにその流体管の軸方向に移動しないように規制する規制手段とを、備えることを特徴とする流体管固定具。
【請求項２】
前記通管筒体には、中途に切欠開口が設けられ、
少なくとも、前記流体管の外周面の、前記切欠開口と対応位置する露出部が、前記圧接具で圧接されて、
前記流体管の軸方向に位置する、前記切欠開口の内面が、前記圧接具の両側面に対向して、前記規制手段となることを特徴とする請求項１に記載の流体管固定具。
【請求項３】
前記流体管の外周面の前記露出部と前記通管筒体とが、前記圧設具によって、周回状に圧接されることを特徴とする請求項２に記載の流体管固定具。
【請求項４】
前記圧接具は、Ｃ字形状から縮径によりリング状となって前記流体管の外周面を圧接するように形成されていることを特徴とする請求項１ないし３のいずれか１項に記載の流体管固定具。
【発明の詳細な説明】
【技術分野】
【０００１】
この発明は、壁の貫通孔を通る流体管を壁に固定するための流体管固定具に関するものである。
【背景技術】
【０００２】
従来、流体管としての給排水湯管を壁の貫通孔部分に固定するための固定具があった（例えば、特許文献１参照）。この固定具は、図１１に示すように、壁３０の貫通孔３０ａに固定される固定具本体３２と弾性止水部材３３とプレート３４とが、タッピンねじ３５、３５により組み付けられていた。そして、弾性止水部材３３は、給排水湯管３１が密着状態で通される止水筒状部３３ａを有していた。
【０００３】
【特許文献１】特公平４−１９４１５号公報
【発明の開示】
【発明が解決しようとする課題】
【０００４】
ところで、前記従来の固定具にあっては、弾性止水部材３３における止水筒状部３３ａの内周面全体が給排水湯管３１に密着することで止水を行なうため、給排水湯管３１の挿入時に相当の負荷がかかり、その作業が面倒であった。また、弾性止水部材３３は、弾性を有するため、給排水湯管３１の軸方向の移動を規制することができず、給排水湯管３１の固定が不安定であった。
【０００５】
この発明は、上記した従来の欠点を解決するためになされたものであり、その目的とするところは、流体管を、容易に挿入することができ、かつ、確実に固定することができる、流体管固定具を提供することにある。
【課題を解決するための手段】
【０００６】
この発明に係る流体管固定具は、前記目的を達成するために、次の構成からなる。すなわち、
請求項１に記載の発明に係る流体管固定具は、壁に設けられた貫通孔を通る流体管を前記壁に固定すべく、前記貫通孔に取り付けられる固定具である。この流体管固定具は、内部を前記流体管が通る通管筒体と、前記通管筒体と前記流体管との間を止水する止水部材と、前記通管筒体内を通って前記壁の裏側から表側へと引き出された前記流体管の外周面を圧接するようにして前記流体管に取り付け固定される、前記止水部材とは別体の圧接具と、前記圧接具が前記流体管とともにその流体管の軸方向に移動しないように規制する規制手段とを、備える。
【０００７】
これにより、止水部材によって、通管筒体と流体管との間が止水される。そして、流体管に取り付け固定される圧接具と、その圧接具を流体管の軸方向に移動しないように規制する規制手段とによって、流体管は、軸方向への移動が規制される。このように、止水と、流体管の移動規制とが、別の構成によって形成されているため、圧接具を外した状態で、流体管を通管筒体に挿入することで、その挿入が容易となり、また、止水部材とは別体の圧接具を用いることで、流体管のその軸方向の移動が的確に規制されて、流体管は、確実に固定される。
【０００８】
また、請求項２に記載の発明に係る流体管固定具は、請求項１に記載の流体管固定具において、前記通管筒体には、中途に切欠開口が設けられ、少なくとも、前記流体管の外周面の、前記切欠開口と対応位置する露出部が、前記圧接具で圧接される。そして、前記流体管の軸方向に位置する、前記切欠開口の内面が、前記圧接具の両側面に対向して、前記規制手段となる。
【０００９】
また、請求項３に記載の発明に係る流体管固定具は、請求項２に記載の流体管固定具において、前記流体管の外周面の前記露出部と前記通管筒体とが、前記圧設具によって、周回状に圧接される。
【００１０】
また、請求項４に記載の発明に係る流体管固定具は、請求項１ないし３のいずれか１項に記載の流体管固定具において、前記圧接具は、Ｃ字形状から縮径によりリング状となって前記流体管の外周面を圧接するように形成されている。
【発明の効果】
【００１１】
この発明に係る流体管固定具によれば、止水と流体管の移動規制とを別の構成により形成することで、流体管を、容易に挿入することができ、かつ、確実に固定することができる。
【発明を実施するための最良の形態】
【００１２】
以下、この発明に係る流体管固定具を実施するための最良の形態を図面に基づいて説明する。
【００１３】
図１〜図８は、本発明の一実施の形態を示す。図中符号１は、ユニットバス等の浴室である。２は、浴室１内をミストサウナ空間とするために、浴室１の天井壁に配備されたミストサウナ装置である。３は、建造物もしくは構造物の壁であって、図示実施の形態においては、浴室１の壁である。３ａは、前記壁３に設けられた貫通孔３ａであって、特に、浴槽１ｂがある側に設けられている。４は、例えば可撓性を備えたドレン管からなる流体管、特に架橋ポリエチレン管やポリブデン管等の合成樹脂製の流体管であって、ミストサウナ装置２の不用水を排出するために、浴室１の壁３の裏側に配管される。５は、流体管固定具であって、壁３の裏側から貫通孔３ａを通る前記流体管４を壁３に固定すべく、貫通孔３ａに取り付けられる。
【００１４】
流体管固定具５は、内部を前記流体管４が通る通管筒体５ａと、その通管筒体５ａと流体管４との間を止水する止水部材としての第１パッキン１６と、その第１パッキン１６とは別体の圧接具２１と、規制手段２２とを備える。ここで、圧接具２１は、通管筒体５ａ内を通って壁３の裏側から表側へと引き出された流体管４の外周面を圧接するようにして流体管４に取り付け固定されるものである。規制手段２２は、圧接具２１が流体管４とともにその流体管４の軸方向に移動しないように規制するものである。
【００１５】
具体的には、流体管固定具５は、ボックス本体６と、固定部材７と、前記通管筒体５ａを有する閉塞部材８とを備えている。ボックス本体６は、前記壁３の裏側に配管される流体管４が引き込まれる引込口６ａと、前記壁３に形成された貫通孔３ａから壁３の表側（図示実施の形態においては、浴室１内）に臨む開口６ｂとを備える。そして、この開口６ｂは、引き込まれた流体管４を壁３の表側に引き出すための開口となっている。固定部材７は、前記壁３の裏側において造営材の被固定部（図示実施の形態においては、壁３の裏面３ｂ）に固定される固定部７ａと、ボックス本体６を支持する支持部７ｂとを備える。そして、支持部７ｂは、ボックス本体６を壁３に沿う方向に回動可能に支持する。閉塞部材８は、壁３の表側から前記開口６ｂを含めて貫通孔３ａを塞ぐものである。このとき、閉塞部材８は、開口６ｂに係合し、この閉塞部材８を回動することで、ボックス本体６の回動を操作できるようになっている。
【００１６】
詳細には、ボックス本体６は、内部を流体管４が通るように中空筒状に形成された本体部９と、その本体部９から円形鍔状に張り出した張出部１０とからなる。そして、本体部９における一端側に、前記引込口６ａが設けられ、他端側に、前記開口６ｂが設けられる。ここにおいて、引込口６ａには、流体管４が挿入されるところの鞘管１１が接続される鞘管接続部６ｄが設けられている。また、ボックス本体６（詳細には、本体部９）の開口６ｂは、貫通孔３ａを通って壁３の裏側から表側に渡るように突出形成されて、その突出側から見て縦長形状をしている。また、張出部１０は、開口６ｂの基端に設けられて、外縁側が、貫通孔３ａの周縁部裏面に対向位置し、その内側には、貫通孔３ａに係合するように若干突出して形成された凸段部１０ａが設けられている（図２、図５参照）。
【００１７】
固定部材７は、例えば、略コの字もしくはＣの字に形成されている。そこで、固定部材７は、そのほぼ全体が、板状に形成されて、前記固定部７ａとなる。そして、この固定部７ａに、固定用のビス１２が挿入される固定孔（図示せず）が明けられている。また、固定部材７は、その内周側が、円弧状に形成されて、前記支持部７ｂとなる。この支持部７ｂは、ボックス本体６における張出部１０を支持するよう、張出部１０の外周面と対向する第１支持部７ｄと、張出部１０の後面（つまり、壁３とは反対側の面）と対向する第２支持部７ｅと、張出部１０の前面（詳細には、一段下がるように壁３側の面に形成された凹段部１０ｂ）と対向する第３支持部７ｆとからなる（図５参照）。
【００１８】
こうして、固定部材７がボックス本体６を支持することで、ボックス本体６は、壁３に沿う方向に回動可能となる。ここにおいて、固定部材７には、ボックス本体６の回動を所定範囲に規制する規制部７ｇが設けられている。図示実施の形態においては、ボックス本体６における本体部９は、固定部材７のコの字もしくはＣの字の開口部７ｈ（図示実施の形態においては、上下方向に開口する開口部７ｈ）を通って、コの字もしくはＣの字の内外に渡って延びており、このコの字もしくはＣの字の、開口部７ｈに面する端面が、本体部９と対向することで前記規制部７ｇとなっている。
【００１９】
閉塞部材８は、流体管４を所要の方向（図示実施の形態においては、斜め下方）に導く案内部材ともなっている。この閉塞部材８は、第１部材１３と第２部材１４とからなり、これら第１部材１３と第２部材１４とがビス１５により互いに連結されている。
【００２０】
第１部材１３は、ボックス本体６の開口６ｂに嵌合するようにして係合する係合部１３ａと、その係合部１３ａの内側に形成されて流体管４が通る筒部１３ｂと、係合部１３ａから鍔状に張り出した張出部１３ｃとからなる。ここで、筒部１３ｂの内側は、口元側（前側）が径大に形成された径大部１３ｄとなって、この径大部１３ｄに、流体管４との間を止水する前記第１パッキン１６が挿入される。また、張出部１３ｃは、その外縁部が、ボックス本体６とで壁３を挟持する挟持部８ａとなって、貫通孔３ａの周縁部前面と対向位置する。そして、この挟持部８ａには、貫通孔３ａの周縁部との間を止水する部材である第２パッキン１８が設けられる。
【００２１】
第２部材１４は、流体管４が通されるように両端が開口する筒形状に形成されている。そして、第２部材１４は、その後端部分が第１部材１３の径大部１３ｄに挿入されるようにして、第１部材１３に組み付けられて、第１パッキン１６を抜け止めする。そして、この第２部材１４と、前記第１部材１３における筒部１３ｂとで、前記通管筒体５ａが形成される。そこで、通管筒体５ａ（詳細には、第２部材１４）には、中途に切欠開口１４ｅが設けられ、少なくとも、流体管４の外周面の、切欠開口１４ｅと対応位置する露出部４ａが、前記圧接具２１で圧接される。そして、流体管４の軸方向に位置する、切欠開口１４ｅの内面が、圧接具２１の両側面に対向して、前記規制手段２２となる。そして、流体管４の外周面の前記露出部４ａと通管筒体５ａとが、前記圧接具２１によって、周回状に圧接される。詳細には、前記切欠開口１４ｅは、第２部材１４（通管筒体５ａ）の前端側に、端部１４ｃとの繋ぎ部１４ｄ、１４ｄを残して切り欠き形成されている。そして、圧接具２１によって、流体管４における前記露出部４ａとともに第２部材１４（通管筒体５ａ）の繋ぎ部１４ｄ、１４ｄが圧接される。
【００２２】
圧接具２１は、図６〜図８に示すように、Ｃ字形状から縮径によりリング状となって流体管４の外周面（図示実施の形態においては、流体管４の外周面および前記繋ぎ部１４ｄ）を圧接するように形成されている。この圧接具２１は、例えば合成樹脂製であって、弾性を備えている。そして、圧接具２１は、Ｃ字形状の一方の端部が厚肉に形成された第１厚肉部２１ａとなって、その第１厚肉部２１ａの外周面には、鋸状の第１係合部２１ｂが設けられている。そして、圧接具２１の一方の端部には、前記第１厚肉部２１ａの基端から突出して、その第１厚肉部２１ａと対向するように延びる延設片２１ｃが設けられている。また、圧接具２１は、Ｃ字形状の他方の端部が薄肉に形成された薄肉部２１ｄとなっている。そして、圧接具２１の他方の端部には、前記薄肉部２１ｄの基端から突出して、その薄肉部２１ｄと対向するようにして厚肉となって延びる第２厚肉部２１ｅが設けられ、その第２厚肉部２１ｅの内周面には、鋸状の第２係合部２１ｆが設けられている。そこで、この圧接具２１が縮径した際には、一方の端部の第１厚肉部２１ａが、他方の端部の薄肉部２１ｄと第２厚肉部２１ｅとの間に進入するとともに、第２厚肉部２１ｅが第１厚肉部２１ａと延設片２１ｃとの間に進入するようにして、第１係合部２１ｂと第２係合部２１ｆとが互いに掛かり合う。
【００２３】
ところで、前記通管筒体５ａを備えた閉塞部材８は、第１部材１３の張出部１３ｃに明けられた孔１３ｅを通ってボックス本体６の凸段部１０ａの後方に設けられたナット１０ｃにねじ込まれるビス１９、１９により、ボックス本体６に取り付けられる。そして、この取り付けによって、挟持部８ａがボックス本体６（詳細には、ボックス本体６の張出部１０）とで壁３を挟持する。もっとも、図示実施の形態においては、挟持部８ａと壁３との間には、第２パッキン１８が設けられているため、壁３を挟持するにあたっては、この第２パッキン１８を介すこととなる。
【００２４】
そして、図２に示すように、上方から、引込口６ａを通ってボックス本体６内に進入した流体管４は、案内部材ともなる閉塞部材８（詳細には、通管筒体５ａ）により斜め下方に導かれるとともに、先端部分が所要の位置に配備されるように、閉塞部材８（詳細には、通管筒体５ａ）から引き出される。図示実施の形態においては、流体管４は、閉塞部材８から突出して、先端部分が浴槽１ｂ下部の排水口１ｃ付近に位置している（図１参照）。そして、流体管４の露出部４ａ（詳細には、露出部４ａおよび通管筒体５ａの繋ぎ部１４ｄ）が圧接具２１で締め付けられて、流体管４は、閉塞部材８、つまりは流体管固定具５に対して固定される。こうして、流体管４が配設されることで、ミストサウナ装置２からの不用水は、流体管４を通って降下し、浴室１内の浴槽１ｂ下部に排出され、排水口１ｃを通って外部に排水される。
【００２５】
次に、以上の構成からなる流体管固定具５の作用効果について説明する。この流体管固定具５を壁３に取り付けるには、壁３の裏側、つまり浴室１の外側から、固定部材７の支持部７ｂが、ボックス本体６を壁３に沿う方向に回動可能に支持するようにして、固定部材７の固定部７ａを、造営材の被固定部（図示実施の形態においては、壁３の裏面３ｂ）にビス１２、１２を用いて固定する。そして、流体管４を、ボックス本体６内に引込口６ａから引き込み、開口６ｂから引き出す。次いで、流体管４の先端部分を閉塞部材８の通管筒体５ａに挿入するようにして閉塞部材８を流体管４に取り付け、その閉塞部材８（詳細には、係合部１３ａ）をボックス本体６の開口６ｂに係合させる。
【００２６】
その後、必要に応じて、すなわちボックス本体６の向きがずれている場合には、浴室１の内側（壁３の表側）から、閉塞部材８を操作（詳細には、回動操作）することで、ボックス本体６を壁３に沿う方向に回動させてその向きを調節する。
【００２７】
次に、閉塞部材８をボックス本体６に、ビス１９、１９を用いて取り付け固定する。このように、閉塞部材８をボックス本体６に取り付けることで、ボックス本体６の張出部１０と閉塞部材８の挟持部８ａとで壁３を挟持し、これによって、ボックス本体６と閉塞部材８とが壁３に固定されて、ボックス本体６の回動が止められる。その後、圧接具２１を流体管４の露出部４ａ（詳細には、露出部４ａおよび通管筒体５ａの繋ぎ部１４ｄ）に取り付け、こうして、流体管４の配管作業が完了する。
【００２８】
この流体管固定具５によると、第１パッキン１６によって、通管筒体５ａ（つまりは、閉塞部材８）と流体管４との間が止水される。そして、第２パッキン１８によって、閉塞部材８と壁３との間が止水される。こうして、これら第１パッキン１６および第２パッキン１８と、閉塞部材８とにより、貫通孔３ａ部分において、壁３の表裏間が止水される。
【００２９】
また、流体管４に取り付け固定される圧接具２１と、その圧接具２１を流体管４の軸方向に移動しないように規制する規制手段２２とによって、流体管４は、軸方向への移動が規制される。このように、従来技術とは異なり、止水と、流体管４の移動規制とが、別の構成によって形成されているため、圧接具２１を外した状態で、流体管４を通管筒体５ａに挿入することで、その挿入が容易となり、また、第１パッキン１６とは別体の圧接具２１を用いることで、流体管４のその軸方向の移動が的確に規制されて、流体管４は、確実に固定される。
【００３０】
そして、この流体管４が固定されていないと、流体管４が熱によって線膨張したり引っ張られたりして流体管４が軸方向に移動したために、第１パッキン１６と流体管４の外周面とが摺接してその第１パッキン１６が損傷する虞があるが、流体管４が固定されることで、この第１パッキン１６の損傷を防止することができる。また、流体管４の端部が流体管継手と接続されている場合には、流体管４が固定されていないと、流体管継手との接続箇所に軸方向の移動によって応力がかかる虞があるが、流体管４が固定されることで、その応力がかかるのを防止することができる。
【００３１】
なお、本発明は、上述した実施の形態に限定されるわけではなく、その他種々の変更が可能である。例えば、固定部材７の固定部７ａが固定される造営材は、壁３でなくとも、柱とか胴縁等であってもよい。
【００３２】
また、この流体管固定具５によって固定される流体管４は、ミストサウナ装置２に接続されたドレン管であったが、広く空調機器等に接続されたドレン管であってもよい。また、このように、流体管固定具５は、流体管４としてのドレン管を配管するためのものであるが、流体管４としての給水管を配管するためのものであってもよい。また、流体管固定具５に給水管からなる流体管を一本通すのではなく、二本通し、一方に水、もう一方に湯を流すようにしてもよく、また、これら二本の流体管を用いて、追焚き用の湯を往復させてもよい。
【００３３】
また、流体管固定具５（詳細には、ボックス本体６）の上部に引込口６ａが設けられて、管体４は、上方から引込口６ａに引き込まれるが、引込口６ａの位置を変えて、下方とか左右方向等の他の方向から引き込まれるようにしてもよい。
【００３４】
また、圧接具２１は、流体管４の外周面に加えて、通管筒体５ａにおける繋ぎ部１４ｄを圧接しているが、図９および図１０に示すように、流体管４の外周面の全周を圧接してもよい。すなわち、通管筒体５ａにおける繋ぎ部１４ｄは、流体管４に当接あるいは近接するように設けられるのではなく、流体管４との間に空隙１４ｆを設けるように高い位置に設けられて、圧接具２１が、繋ぎ部１４ｄをくぐるようにして、流体管４の外周面における露出部４ａに取り付け固定されてもよい。
【００３５】
また、例えば、この図９および図１０に示すような実施の形態においては、規制手段２２となる切欠開口１４ｅの各内面が、圧接具２１の幅を越えて離れることで、流体管４とともに圧接具２１が所定範囲において移動できるようにしてもよい。
【００３６】
さらには、規制手段２２を、圧接具２１の両側面に対向して設けるのではなく、圧接具２１のいずれか一方の側面のみに対向して設けることで、流体管４の移動を軸方向の一側（壁３の表側を向く側あるいは壁３の裏側を向く側）のみ規制するようにしてもよい。
【図面の簡単な説明】
【００３７】
【図１】この発明の一実施の形態の、全体を示す側断面図である。
【図２】同じく、要部側断面図である。
【図３】同じく、一部を破断した要部側断面図である。
【図４】同じく、要部背面図である。
【図５】同じく、図４におけるＡ−Ａ線による拡大断面図である。
【図６】同じく、要部正面図である。
【図７】同じく、図３におけるＢ−Ｂ線による拡大断面図である。
【図８】同じく、圧接具の拡大正面図である。
【図９】この発明の他の実施の形態の、図３相当図である。
【図１０】同じく、図９におけるＣ−Ｃ線による拡大断面図である。
【図１１】従来の固定具を示す断面図である。
【符号の説明】
【００３８】
３  壁
３ａ  貫通孔
４  流体管
４ａ  露出部
５  流体管固定具
５ａ  通管筒体
１４ｅ  切欠開口
１６  第１パッキン（止水部材）
２１  圧接具
２２  規制手段
【図１】
0004948381.tif 000002
【図２】
0004948381.tif 000003
【図３】
0004948381.tif 000004
【図４】
0004948381.tif 000005
【図５】
0004948381.tif 000006
【図６】
0004948381.tif 000007
【図７】
0004948381.tif 000008
【図８】
0004948381.tif 000009
【図９】
0004948381.tif 000010
【図１０】
0004948381.tif 000011
【図１１】
0004948381.tif 000012